(57)【要約】【課題】手持ち寝具が使用できて、電力の消費が少なく、ＣＯ２の削減ができるエコスリープ寝具を提供する。【解決手段】掛用ふとんと敷用の通気ネットに包まれた寝床内空気は、敷用のネットに吸引されて循環暖房機の吸入管２８及び吸入口を経て循環暖房機１に入り循環される。掛用ふとんの掛用送風ネット３２又は、敷用の通気ネットの人の足方向の人の端部に設けた平面の通気ネットから寝床内に送風する寝具。【選択図】図６
2011189116.tif 000002
【特許請求の範囲】
【請求項１】
掛用ふとんと敷用ふとんとで形成した寝床内空気をファンにより循環させる寝具であって、敷用ふとんの上に設けた敷用の通気ネットから寝床内空気を吸引することを特徴とする寝具。
【請求項２】
敷用の通気ネットの人の足方向の人の端部に設けた平面の通気ネット又は、及び掛用送風ネットから寝床内に送風することを特徴とする請求項１に記載の寝具。
【請求項３】
吸引した寝床内空気をヒーターにより暖めて寝床内に送風することを特徴とする請求項１乃至請求項２のいずれかに記載の寝具。
【請求項４】
吸引した寝床内空気をフィルターを通して寝床内に送風することを特徴とする請求項１乃至請求項３のいずれかに記載の寝具。
【請求項５】
掛用ふとんと敷用ふとんとで形成した寝床内に人が入ったとき、それを感知する感知センサーを設けて、この感知センサーが人を感知すると同時にファンにより空気を循環させると共に、室温を調整することを特徴とする請求項１乃至請求項４のいずれかに記載の寝具。
【請求項６】
吸引した寝床内空気の温度と湿度を戻りセンサーで感知して、その温度を２８〜３４℃、湿度を３０〜５０％になるようにヒーターとファンにより調整することを特徴とする請求項１乃至請求項５のいずれかに記載の寝具。
【発明の詳細な説明】
【発明の詳細な説明】
【技術の分野】
【０００１】  本発明は健康福祉と省エネに関する分野
【背景技術】
【０００２】  従来の技術は、掛用ふとんや、敷用ふとんに内蔵された温風通路に温風を送風し、寝床内を睡眠に適した環境にエアーコントロールしていました。温風は寝床の外に放出され、常に外気を指定温度までヒーターで加温した為、エネルギーのロスが多く、Ｃｏ２を多量に発生させ排出していました。
又手持ちの寝具は使用出来ず、専用の掛、敷の温風通路付ふとんを購入する必要がありました。
さらに寒波で室温が急降下した時、老人病人等は、リモコンで寝床内温度を調節出来にくい為、掛ふとん、又は敷ふとん内に温湿センサーを内蔵させて自動コントロール、する技術も発明されていました。使用の際センサー故障が多く、サービスは大変でした。
【先行技術文献】
【０００３】
【特許文献１】特許３０６１３６０号
【特許文献２】特許３１８６６３２
【特許文献３】特許３０５３５０７号
【特許文献４】特許２６３０７３３
【特許文献５】特許２６１６８９３号
【特許文献６】特許３６３３９７７
【発明が解決しようとする課題】
【０００４】  課題１はエアースリープ（先行技術文献の技術を使用）は一般の人は８時間使用し、病床の人は２４時間使用することが常で、Ｃｏ２削減が商品開発の義務であり、人類生存の世界的課題であります。
課題２は手持ち寝具を使用出来ることが普及の最大課題です。
課題３は家庭、病院、老人施設で使用者が、失禁、病原菌を排出される温風と共に室内に放出されることによる、悪臭、院内感染の課題がありました。
課題４は老人や病人が使用するには自動コントロールが必要で、その際センサーを寝具内に施置する為、故障が多くサービスが大変でした。
この課題を解決することが急務である。
【課題を解決する手段】
【０００５】  課題１を解決する手段は送風された寝床内空気（３５）を立体の通気ネット（２２）より循環暖房機（１）に図５で示す様に戻すことである。体温が加温体となり３２℃で送風された温風は３１℃で循環するのです。掛、敷の隙間より小量の外気が入り１００％の循環ではなくそのことが湿度を一定に保つのです。図２２で示すグラフが証明しています。又［図５］で示す室内温度調節器（４１）とコンセント（２６）とを切換スイツチで入床時は循環暖房機（１）に電気が入り空内クーラー（２５）の室内温度調節器（４１）が切れるか又は、室温が夏期２８℃までは冷房が入らない様にする。冬期は室温が２３℃までは入床時暖房が入らない様にする。
この様にすると莫大な省エネ、ＣＯ２の削減が出来ると共に快眠が出来、健康増進につながるのです。参考に室クーラーは２．２Ｋｗ（ビジネスホテル）エコスリープ５１０ｗヒーター１０ｗモーターで、５１０ｗヒーターは短時使用で常に１０ｗモーターが温風を循環させるのです。
【０００６】  課題２を解決する手段は［図８］［図９］［図１０］で示す掛用送風ネット（３２）か掛用送風口取付布（２９）を［図８］の様に手持の掛ふとんに取付けるのです。一般に利用するのは［図９］が簡単である。
敷用には［図１２］［図１３］［図１４］で示す様に敷用の通気ネット（３１）敷用送風布（３４）を手持の敷ふとんの上に敷けばよい。
この様にすれば手持の寝具は全てエコスリープ化出来るのです。
【０００７】  課題３を解決する手段は［図５］で示す様に寝床内空気（３５）を循環させることである。
一部のもれた空気は、消臭殺菌フイルター（１６）と殺菌燈（１７）で消臭殺菌されている為失禁の悪臭や寝床内の菌は寝具外に放出されない。又長時間使用することにより室内が清浄化されるのです。
背面に３２℃  ４０％±５前後する空気が流れる為長期病床生活の背面皮ふが健康に保たれ、「床ずれ」の予防になり、又全治した方もあり健康、衛生環境の諸問題を解決するのです。
【０００８】  課題４を解決する手段は［図１］［図２］で示す戻りセンサー（１２）を循環暖房機（１）の吸入口（３）の吸入温風が通る場所に施置する。この戻りセンサー（１２）が指示温度より低い温が戻って来た時は調節ヒーター（１３）の電流を高めて温度を保正し、又高目に戻って来た時は電流を低めに調節し、常に指示温度を送風する
又発汗により戻り寝床内空気（３５）が４０％を３％〜５％上昇したと感知した時は１０ｗモーターの回転を上昇させ風量を増し４０％に保つ様にする。又その逆の時は回転を落し風量を減少させ発汗による湿度の上昇を計るのです。吸入温湿センサー（４３）を立体の通気ネット（２２）に戻りセンサー（１２）を循環暖房機（１）の戻り通路に設置したことにより寝床内空気（３５）を正確に測定しコントロール出来る、故障の起らない方法で解決するのです。
【発明の効果】
【０００９】  課題１の効果は［図１］［図２］で示す様に循環暖房機（１）には外気の吸入する所は吸入口（３）のみで［図５］［図１３］で示す様に寝床内空気（３５）が循環する為、温風の放出が極めて少ない、３２℃で送風した温風は３１℃で循環暖房機（１）に戻るのです。［図２２］３０℃で送風指示して、戻りは３０℃〜２９．５℃を示す様に体温３６℃の熱を受けている。調節ヒーター（１３）は働いていない。
又［図５］で示す様に室内クーラー（２５）の室内温度調節器（４１）と循環暖房器（１）のコンセント（２６）とを関連させて、入床時循環暖房機（１）が送風を始めた時、室内温度調節器（４１）がＯＦＦになるか又は室内クーラー（２５）が、夏期２８℃まで冷房が入らなくし、冬期は２３℃まで暖房が入らない様にする様に設定すれば２．２Ｋｗのクーラーと１０ｗの循環暖房機の電気代の省エネ、ＣＯ２削減は莫大な数字になります。ホテルは１０％のＣＯ２の排出をし、家庭では１３％を排出していると報導されています。その２〜３％でも削減する効果はこの普及で可能です。
【００１０】  課題２の効果は［図２］の循環暖房機（１）と敷用の通気ネット（３１）と立体の通気ネット（２２）掛用送風口取付布（２９）の４点を購入すれば家庭の寝具、ホテルの寝具全てが本発明の「エコスリープ寝具」になりその普及効果は論をまたない。
【００１１】  課題３の発明の効果は［図５］で示す機に寝床内空気（３５）は循環し失禁の悪臭や患者の菌保有者の寝床内空気（３５）を消臭、殺菌し外に排出しない。又長期に渡って使用すれは室内の清浄化に役立つ効果があり院内感染の防止に効果が有ると信じます。
理想環境で快眠出来ることは健康の原点であり人生１／３を使用する一番身近な品で今まで寝具内の空調だけが世界で実用化されていないのです。
【００１２】  課題４の発明の効果は今まで実施されている方法は、暖房機から温度センサーを掛、敷ふとん内に延ばしセットして、その信号で寝床内をコントロールしていました。
この信号は送風された温風の温度、湿度の信号で寝床内の空気は測定出来ないのです。
吸入口（３）の位置での測定は寝床内空気（３５）の測定であり、理想の寝床内コントロールが出来る効果があります。
又より速く寝床内空気（３５）の温度湿度を感知するには吸入温湿センサー（４３）を、立体の通気ネット（２２）に設置するとよい。この位置にセットすれば工場生産で設置出来る為、設置に手間がかからず、故障も起らない。
【図面の簡単な説明】
【００１３】
【図１】循環暖房機（１）透視平面図
【図２】循環暖房機（１）透視正面図
【図３】循環暖房機（１）平面図
【図４】循環暖房機（１）正面図
【図５】エコスリープをベツドにセツトした断面側面図
【図６】エコスリープを和室にセツトした断面側面図
【図７】エコスリープを和室にセツトした透視正面図
【図８】掛ふとんと掛用送風ネット（３２）をセツトした透視平面図
【図９】掛用送風口取付布（２９）の平面図
【図１０】掛用送風ネット（３２）の平面図
【図１１】掛用送風ネット（３２）の側面図
【図１２】敷用通風ネット（３１）に敷用送風布（３４）をセツトし温風が循環する姿の透視平面図
【図１３】敷用通風ネット（３２の温風が循環する様子断面側面図
【図１４】立体の通気ネットの平面図
【図１５】立体の通気ネットの断面側面図
【図１６】変形通気ネット（３８）の平面図
【図１７】大病院の寝床内データー９９年８月７日
【図１８】国立大病院の寝床内データー０３年９月３０日
【図１９】家庭（出願者）の一般寝具使用時の寝床内データー０７年３月１１日
【図２０】最高級国際級のホテルの寝床内データー０７年８月２６日
【図２１】エアスリープ［温風排出型］の寝床内データー０８年１月７日
【図２２】エコスリープ［温風循環型］の寝床内データー０９年８月３０日
【発明を実施する為の形態】
【実施例】
【００１４】  ［図５］に示す掛用ふとん（３３）と敷用の通気ネット（３１）に包まれた、寝床内空気（３５）は立体の通気ネット（２２）又は平面の通気ネット（４２）に吸引されて循環暖房機（１）の吸入管（２８）、吸入口（３）を経て循環暖房機（１）に入ります。又、［図６］に示すように寝床内空気（３５）は、敷用の通気ネット（３１）から吸引される。［図２］の循環暖房機（１）の空気の流れについて実施方法を説明する。吸入管（２８）より吸入口（３）を通った空気は戻りセンサ（１２）で温度、湿度を感知し電気コントロール基板（４５）に信号を送り温度、湿度をコントロールする。次に戻り通路（１８）を通り、［図１］の殺菌燈（１７）で殺菌され、消臭殺菌フイルター（１６）に入り消臭殺菌を完全にして［図１］の戻り通路穴（１５）を通り戻り通路（１８）を進みシロツコフアン通風路（１９）を経てフアン吸入口（９）より、シロツコフアン（７）に吸込まれ［図２］の温風通路（１４）に流れる。この時調節ヒータ（１３）で戻りセンサー（１２）の信号によりモーター（８）と連動して指定送風温度・湿度になる様コンピューターが働き、指定温湿度たとえば温度は２８℃〜３４℃湿度は３０％〜５０％にコントロールし敷用送風口（４）敷用送風管（２４）を経て［図５］の敷用送風布（３４）より敷用の通気ネット（３１）を経て寝床内に温風が流れ寝床内空気（３５）となる。又、［図６］に示すように、敷用の通気ネット（３１）から吸引した場合は、平面の通気ネット（４２）又は、及び掛用送風ネット（３２）から寝床内空気（３５）となる。吸入温湿センサー（４３）は戻りセンサー（１２）と同じ役をする。又温風通路（１４）より掛用送風口（６）に流れた温風は、掛用送風管（２３）を経て掛用送風ネット（３２）又は掛用送風口取付布（２９）を経て寝床内空気（３５）になり、敷より流れて来た温風と合流し快眠環境をつくるのです。この３２℃の温風の熱は寝具より放熱されますが、体温３６℃が加温体となり３１℃前後で循環暖房機（１）の吸入管に立体の通気ネット（２２）を経て戻るのです。
この循環が続く為、高度な省エネとＣｏ２削減が出来るのです。
【産業上の利用可能性】
【００１５】イ．全てのホテルの宿泊客は入室時、空調をＯＮにしてチエツクアウトまで使用し続ける。睡眠中２．２Ｋｗのクーラーを止めても保温性が良い為、室温変化は２６℃±３℃である。睡眠中は寝床内をエコスリープで空調すればよい。大きな空間を２．２ＫＷクーラーで空調するより電源を切換へて１０Ｗのエコスリープで寝床内を快適な環境にして睡眠すれは明日の活力にもなり省エネ、ＣＯ２削減になりホテルの差益は１年を通して莫大な利益になる。客は快眠を求めて再泊しこれ以上の産業上の価値ある品は無いと信じます。
ロ．交通関係の特に長時間乗車して睡眠時間の少ない人に産業上利用価値は絶大です。
ハ．医療関係の人は２４時間人命をあづかり睡眠不足になり医療ミスを起す可能性が多い。この業界には必需品と考へます。又床ずれ完治の患者さんもあり病床の必需品。
【符号の説明】
【００１６】  １  循環暖房機              ２  フイターカバー        ３  吸入口
４  敷用送風口              ５  ベツト両用取付穴      ６  掛用送風口
７  シロツコフアン          ８  モーター              ９  フアン吸入口
１０  シロツコフアンケース  １１  基板                １２  戻りセンサー
１３  調節ヒーター          １４  温風通路            １５  戻り通路穴
１６  消臭殺菌フイルター    １７  殺菌燈              １８  戻り通路
１９  シロツコフアン通風路  ２０  敷カバー            ２１  掛カバー
２２  立体の通気ネット      ２３  掛用送風管          ２４  敷用送風管
２５  室内クーラー          ２６  コンセント          ２７  リモコン
２８  吸入管                ２９  掛用送風口取付布    ３０  マジツクテープ
３１  敷用の通気ネット      ３２  掛用送風ネット      ３３  掛用ふとん
３４  敷用送風布            ３５  寝床内空気          ３６  マクラ
３７  肩カバー              ３８  両サイド通気ネット  ３９  ベツト
４０  循環暖房機セツト金具  ４１  室内温度調節器      ４２  平面の通気ネット
４３  吸入温湿センサー      ４４  敷用温湿センサー    ４５  電気コントロール基板
４６  切換スイツチ
【図１】
2011189116.tif 000003
【図２】
2011189116.tif 000004
【図３】
2011189116.tif 000005
【図４】
2011189116.tif 000006
【図５】
2011189116.tif 000007
【図６】
2011189116.tif 000008
【図７】
2011189116.tif 000009
【図８】
2011189116.tif 000010
【図９】
2011189116.tif 000011
【図１０】
2011189116.tif 000012
【図１１】
2011189116.tif 000013
【図１２】
2011189116.tif 000014
【図１３】
2011189116.tif 000015
【図１４】
2011189116.tif 000016
【図１５】
2011189116.tif 000017
【図１６】
2011189116.tif 000018
【図１７】
2011189116.tif 000019
【図１８】
2011189116.tif 000020
【図１９】
2011189116.tif 000021
【図２０】
2011189116.tif 000022
【図２１】
2011189116.tif 000023
【図２２】
2011189116.tif 000024